(57)【特許請求の範囲】
【請求項１】
ホイップアンテナと前記ホイップアンテナの上端部に接続されたシャンク部と、前記シャンク部の上端部に形成された、前記シャンク部より大径のヘッド部とを有する絶縁性コアロッドと、前記コアロッドに装着された導電性スリーブからなると共に、ステム部と前記ステム部の上側に配設されたコネクタ部とを有する上側端子と、前記上側端子と連続するように前記コネクタ部の上側に配設され且つ前記コアロッドに装着された絶縁性スリーブからなるボビンと、ここで、前記ボビンは、前記コアロッドの前記ヘッド部に当接することにより前記コアロッドに対して前記上側端子及び前記ボビンを位置決めするための当接面を有することと、前記ボビンに巻回されると共に、下端部において前記コネクタ部に電気的に接続されたヘリカルアンテナと、前記ヘリカルアンテナを覆うように前記上側端子に取付けられた絶縁性キャップと、を具備し、
前記ボビン及び前記上側端子を構成する両スリーブの軸孔内に、互いに接続した前記ホイップアンテナ及び前記コアロッドを挿入し、予め別個に形成した前記絶縁性キャップを、前記ヘリカルアンテナを覆うように、前記上側端子のフランジ部に取付けるという工程を、部品どうしの組立てのみによって行うことを特徴とする携帯無線機用アンテナデバイス。
【請求項２】
前記ボビンは、前記上側端子及び前記ヘリカルアンテナをインサート部品として合成樹脂を成型することにより、前記上側端子及び前記ヘリカルアンテナと一体化された部品からなることを特徴とする請求項１に記載の携帯無線機用アンテナデバイス。
【請求項３】
前記ヘリカルアンテナは、前記ボビンの周面内に埋め込まれた部分を有することを特徴とする請求項２に記載の携帯無線機用アンテナデバイス。
【請求項４】
前記上側端子及び前記ボビンを構成する前記両スリーブは、それ等の軸方向の実質的な全長に亘って前記シャンク部と実質的に同じ内径を有することを特徴とする請求項１乃至３のいずれかに記載の携帯無線機用アンテナデバイス。
【請求項５】
前記ボビンの前記当接面は前記ボビンの実質的な上端部に配置された凹部内に形成されることを特徴とする請求項１乃至４のいずれかに記載の携帯無線機用アンテナデバイス。
【請求項６】
前記上側端子及び前記キャップは夫々雄ネジ及び雌ネジを有し、前記雄ネジと前記雌ネジとの螺合により、前記キャップが前記上側端子に固定されることを特徴とする請求項１乃至５のいずれかに記載の携帯無線機用アンテナデバイス。
【発明の詳細な説明】
【０００１】
【発明の属する技術分野】
本発明は、携帯電話や、ＰＨＳ等の携帯無線機に使用されるアンテナデバイスに関し、より具体的には、ホイップアンテナの上端部にヘリカルアンテナが連結された構造を有するアンテナデバイスの改良に関する。
【０００２】
【従来の技術】
携帯無線機用アンテナデバイスとして、携帯に便利なように、無線機本体に対して引出し及び押込み可能なタイプのアンテナデバイスが知られている。このタイプのアンテナデバイスは、一般的にホイップアンテナとその上端部に連結されたヘリカルアンテナとを有する。ホイップアンテナはしなやかな棒状の導線からなり、ヘリカルアンテナは螺旋状に巻かれた導線からなる。ヘリカルアンテナはホイップアンテナと導通している場合と絶縁されている場合とがある。ホイップアンテナ及びヘリカルアンテナは、美観の向上や保護等の目的から合成樹脂製（以下単に樹脂という場合は合成樹脂を意味する）の層で被覆される。
【０００３】
ホイップアンテナの下端部側にはこれと導通する下側端子が取り付けられ、上端部側にはヘリカルアンテナと導通する上側端子が取り付けられる。下側端子は、無線機本体からアンテナデバイスを引出した時に無線機本体側のホルダ型端子と導通する。一方、上側端子は、無線機本体にアンテナデバイスを押込んだ時に無線機本体側のホルダ型端子と導通する。即ち、無線機の使用時には、アンテナデバイスを引出して、ホイップアンテナにより送受信を行い、無線機の不使用時には、アンテナデバイスを押込んで、ヘリカルアンテナにより受信を行う。
【０００４】
この種のアンテナデバイスの製造は、型枠を使用して樹脂部分を成型する工程と、所定の形状に形成した部品を組立てる工程と、を組合わせた方法により行われている。
【０００５】
【発明が解決しようとする課題】
アンテナデバイスの構造や製造方法に対しては、多くの提案がなされて来ている。しかし、近年、携帯無線機の普及に伴い、携帯無線機の小型化、軽量化、低価格化等が進んでおり、これに伴って携帯無線機用アンテナデバイスに対しても更なる改良が望まれている。本発明はかかる観点に基づいてなされたものであり、携帯無線機に対するこれ等の要請に対して応えることが可能な携帯無線機用アンテナデバイスを提供することを目的とする。
【０００６】
【課題を解決するための手段】
本発明の第１の視点は、携帯無線機用アンテナデバイスであって、ホイップアンテナと前記ホイップアンテナの上端部に接続されたシャンク部と、前記シャンク部の上端部に形成された、前記シャンク部より大径のヘッド部とを有する絶縁性コアロッドと、前記コアロッドに装着された導電性スリーブからなると共に、ステム部と前記ステム部の上側に配設されたコネクタ部とを有する上側端子と、前記上側端子と連続するように前記コネクタ部の上側に配設され且つ前記コアロッドに装着された絶縁性スリーブからなるボビンと、ここで、前記ボビンは、前記コアロッドの前記ヘッド部に当接することにより前記コアロッドに対して前記上側端子及び前記ボビンを位置決めするための当接面を有することと、前記ボビンに巻回されると共に、下端部において前記コネクタ部に電気的に接続されたヘリカルアンテナと、前記ヘリカルアンテナを覆うように前記上側端子に取付けられた絶縁性キャップと、を具備し、
前記ボビン及び前記上側端子を構成する両スリーブの軸孔内に、互いに接続した前記ホイップアンテナ及び前記コアロッドを挿入し、予め別個に形成した前記絶縁性キャップを、前記ヘリカルアンテナを覆うように、前記上側端子のフランジ部に取付けるという工程を、部品どうしの組立てのみによって行うことを特徴とする。
【０００７】
本発明の第２の視点は、第１の視点の携帯無線機用アンテナデバイスにおいて、前記ボビンは、前記上側端子及び前記ヘリカルアンテナをインサート部品として合成樹脂を成型することにより、前記上側端子及び前記ヘリカルアンテナと一体化された部品からなることを特徴とする。
【０００８】
本発明の第３の視点は、第２の視点の携帯無線機用アンテナデバイスにおいて、前記ヘリカルアンテナは、前記ボビンの周面内に埋め込まれた部分を有することを特徴とする。
【０００９】
本発明の第４の視点は、第１乃至第３の視点のいずれかの携帯無線機用アンテナデバイスにおいて、前記上側端子及び前記ボビンを構成する前記両スリーブは、それ等の軸方向の実質的な全長に亘って前記シャンク部と実質的に同じ内径を有することを特徴とする。
【００１０】
本発明の第５の視点は、第１乃至第４の視点のいずれかの携帯無線機用アンテナデバイスにおいて、前記ボビンの前記当接面は前記ボビンの実質的な上端部に配置された凹部内に形成されることを特徴とする。
【００１１】
本発明の第６の視点は、第１乃至第５の視点のいずれかの携帯無線機用アンテナデバイスにおいて、前記上側端子及び前記キャップは夫々雄ネジ及び雌ネジを有し、前記雄ネジと前記雌ネジとの螺合により、前記キャップが前記上側端子に固定されることを特徴とする。
【００１２】
【発明の実施の形態】
図１は本発明の実施の形態に係る携帯無線機用アンテナデバイス１０を示す部分縦断側面図である。図２（ａ）〜（ｃ）は図１図示のアンテナデバイス１０の製造方法の最終段階を工程順に示す部分縦断側面図である。
【００１３】
アンテナデバイス１０は、剛性及び屈曲性のある導電性エレメント等からなるホイップアンテナ１２と、その上端部（図においては右側）に機械的に連結された導電性コイル等からなるヘリカルアンテナ１４とを有する。なお、ホイップアンテナ１２とヘリカルアンテナ１４とは以下に述べるような態様で、電気的に絶縁されている。
【００１４】
ホイップアンテナ１２の外周は絶縁性の樹脂被覆層１６で被覆される。ホイップアンテナ１２の下端部には、金属製即ち導電性のスリーブからなる下側端子２２が同軸状で且つホイップアンテナ１２に対して導通するように嵌着固定される。下側端子２２の下端部には拡径したストッパ２４が配設され、携帯無線機本体２６に固定されたホルダ型端子２８と係合することにより、アンテナデバイス１０が携帯無線機本体２６から抜け落ちるのを防止する。
【００１５】
一方、ホイップアンテナ１２の上端部には、絶縁性の樹脂コアロッド３２が接続される。コアロッド３２は、ホイップアンテナ１２の上端部に接続されたシャンク部３４と、シャンク部３４の上端部に形成された、シャンク部３４より大径のヘッド部３５とを有する。
【００１６】
シャンク部３４には、金属製即ち導電性のスリーブからなる上側端子４２が同軸状で且つホイップアンテナ１２に対して導通しないように嵌着固定される。上側端子４２は、ステム部４４と、ステム部４４の上側に配設され且つステム部４４よりも大径のコネクタ部４６とを有する。ステム部４４とコネクタ部４６との間には、半径方向に広がるフランジ部４８が配設される。フランジ部４８の周囲には、雄ネジ５２が形成され、これは後述する態様でキャップ６２の雌ネジ６４と係合する。
【００１７】
シャンク部３４には更に、絶縁性の樹脂スリーブからなるボビン５６が、上側端子４２と連続するようにコネクタ部４６の上側に同軸状に装着される。ボビン５６は、上側端子４２及びヘリカルアンテナ１４をインサート部品として樹脂を成型することにより、上側端子４２及びヘリカルアンテナ１４と一体化された部品からなる。
【００１８】
上側端子４２及びボビン５６を構成する両スリーブの軸孔は、それ等の軸方向の実質的な全長に亘ってシャンク部３４と実質的に同じ均一な内径を有する。ボビン５６の上端部には凹部５８が形成され、この凹部５８の底面が、コアロッド３２のヘッド部３５に当接することによりコアロッド３２に対して上側端子４２及びボビン５６を位置決めするための当接面として機能する。
【００１９】
ヘリカルアンテナ１４は、ボビン５６の周面内に部分的に埋め込まれた状態でボビン５６に巻回される。ヘリカルアンテナ１４の下端部はコネクタ部４６に嵌着され、これにより、上側端子４２とヘリカルアンテナ１４とが電気的に接続される。また、ヘリカルアンテナ１４の下端部とコネクタ部４６との接続部は、ボビン５６と一体的に成型された被覆部５９により被覆される。ヘリカルアンテナ１４はボビン５６及び被覆部５９により確りと固定されるため、上側端子４２とヘリカルアンテナ１４との電気的接続がより確かなものとなる。
【００２０】
ヘリカルアンテナ１４を覆うように、予め成型された絶縁性の樹脂キャップ６２がコネクタ部４６に取付けられる。キャップ６２の開口部近傍には雌ネジ６４が形成され、この雌ネジ６４とフランジ部４８の雄ネジ５２との螺合により、キャップ６２が上側端子４２に固定される。キャップ６２は、その内端面がボビン５６の上端部及びコアロッド３２のヘッド部３５に当接することにより、所定位置に位置決めされる。この時、キャップ６２の下端部及びフランジ４８の下面は実質的に整一する。
【００２１】
このような構成のアンテナデバイス１０にあっては、アンテナデバイス１０を無線機本体２６から引き出すと、下側端子２２とホルダ型端子２８とが嵌合してこの両者が導通する。アンテナデバイス１０を無線機本体２６に押込むと、上側端子４２とホルダ型端子２８とが嵌合してこの両者が導通する。即ち、無線機の使用時には、アンテナデバイス１０を引出して、ホイップアンテナ１２により送受信を行い、無線機の不使用時には、アンテナデバイス１０を押込んで、ヘリカルアンテナ１４により受信を行う。
【００２２】
次に、アンテナデバイス１０の製造方法について説明する。
【００２３】
アンテナデバイス１０を製造する際、先ず、ホイップアンテナ１２を樹脂被覆層１６で被覆すると共に、ホイップアンテナ１２の下端部に下側端子２２を取り付ける。樹脂被覆層１６は、金型内にホイップアンテナ１２を配置して成型するか、或いは予め成型した樹脂チューブにホイップアンテナ１２を挿入することにより、配設することができる。下側端子２２は、樹脂被覆層１６を配設する前でも後でもホイップアンテナ１２に取付けることができる。
【００２４】
次に、樹脂被覆層１６で被覆されたホイップアンテナ１２の上端部に、シャンク部３４及びヘッド部３５からなる樹脂コアロッド３２を取付ける。この際、ホイップアンテナ１２及び樹脂被覆層１６の両者の上端部がコアロッド３２に埋め込まれるようにする。コアロッド３２は、金型内にホイップアンテナ１２等を配置して成型することにより配設することができる。
【００２５】
一方、図２（ａ）に示すように、金属製の上側端子４２及びヘリカルアンテナ１４を予め別個に形成して準備し、ヘリカルアンテナ１４の下端部を、上側端子４２のコネクタ部４６に嵌着することにより、上側端子４２とヘリカルアンテナ１４とを電気的に接続する。ヘリカルアンテナ１４の下端部をコネクタ部４６に嵌着する方法としては、ヘリカルアンテナ１４の下端部をコネクタ部４６に装着した後、同下端部を外側から圧縮してかしめる方法を採用することができる。
【００２６】
次に、互いに接続した上側端子４２及びヘリカルアンテナ１４をインサート部品として金型内に配置し、ボビン５６を、上側端子４２及びヘリカルアンテナ１４と一体化された部品として樹脂から成型する（図２（ｂ）参照）。この際、ボビン５６を巻回するヘリカルアンテナ１４は、ボビン５６の周面内に部分的に埋め込まれた状態にする。また、ヘリカルアンテナ１４の下端部とコネクタ部４６との接続部は、ボビン５６と一体的に成型した被覆部５９により被覆した状態にする。これにより、ヘリカルアンテナ１４を確りと固定することができ、上側端子４２とヘリカルアンテナ１４との電気的接続をより確実なものとすることができる。
【００２７】
次に、図２（ｂ）に示すように、ボビン５６及び上側端子４２を構成する両スリーブの軸孔内に、互いに接続したホイップアンテナ１２及びコアロッド３２を挿入する。この際、コアロッド３２のヘッド部３５とボビン５６の上端部の凹部５８とが当接するまで、ホイップアンテナ１２等を挿入することにより、ホイップアンテナ１２及びコアロッド３２に対して上側端子４２、ボビン５６、及びヘリカルアンテナ１４を位置決めする。なお、コアロッド３２に対して上側端子４２を固定する方法としては、上側端子４２を外側から圧縮してかしめる、或いは接着剤を使用する、或いはシャンク部３４の外径と上側端子４２の内径とを締まり嵌めできるように寸法設定する、等の方法を採用することができる。
【００２８】
次に、図２（ｃ）に示すように、予め別個に成型した絶縁性の樹脂キャップ６２を、ヘリカルアンテナ１４を覆うように、上側端子４２のフランジ部４８に取付ける。この際、キャップ６２の内端面がボビン５６の上端部と当接するまで、キャップ６２の雌ネジ６４をフランジ部４８の雄ネジ５２に螺合させ、キャップ６２を位置決め固定する。
【００２９】
次に、樹脂被覆層１６で被覆されたホイップアンテナ１２の下端部側をホルダ型端子２８に通し、ホイップアンテナ１２の下端部にストッパ２４を取付ける。これにより、無線機本体２６に取付ける前の状態の、図１図示のアンテナデバイス１０が完成する。
【００３０】
上述のような構成を有するアンテナデバイス１０によれば、図２（ｂ）、（ｃ）に示す製造方法の最終段階を、金型を用いた成型ではなく、部品どうしの組立てのみによって行うことができるため、同最終段階を容易に自動化することができる。また、接続部品であるコアロッド３２、上側端子４２、ボビン５６等は、形状を単純化しているため、個々の部品の製造や、部品どうしの組立てが容易になる。従って、上述のアンテナデバイス１０によれば、従来の構造に比べて製造コストを低下させることができる。
【００３１】
また、キャップ６２とボビン５６及びヘリカルアンテナ６４との間には空洞部分が存在するため、アンテナデバイス１０の頭部に所定値以上の直径が必要である場合でも、その重量を増加させないようにすることができる。また、キャップ６２は、材料を適当に選ぶことにより、小さな肉厚で必要な機械的強度を得ることができる。従って、上述のアンテナデバイス１０によれば、従来の構造に比べて軽量化を図ることができる。
【００３２】
更に、上述の如く、ヘリカルアンテナ１４はボビン５６の周面内に部分的に埋め込まれると共に、ヘリカルアンテナ１４の下端部とコネクタ部４６との接続部は被覆部５９される。従って、ヘリカルアンテナ１４は確りと固定され、上側端子４２とヘリカルアンテナ１４との電気的接続がより確かなものとなる。
【００３３】
なお、上述の実施の形態においては、キャップ６２として、予め別個に成型した樹脂製品を使用するものとして説明したが、これに代え、キャップ６２を、最終工程において、金型を使用して成型するように変更することができる。この場合でも、接続部品であるコアロッド３２、上側端子４２、ボビン５６等の形状の単純化による効果は得ることができる。
【００３４】
その他、本発明の思想の範疇において、当業者であれば、各種の変更例及び修正例に想到し得るものであり、それら変更例及び修正例についても本発明の範囲に属するものと了解される。
【００３５】
【発明の効果】
本発明に係る携帯無線機用アンテナデバイスによれば、部品の単純化によりアンテナデバイスの製造コストを低下させることができる。また、キャップを上側端子にネジ構造により取付けるようにした場合は、組立工程の自動化によりアンテナデバイスの製造コストを低下させることができる。しかも、この場合、キャップ内の空洞化により、アンテナデバイスの軽量化を図ることができる。
【図面の簡単な説明】
【図１】本発明の実施の形態に係る携帯無線機用アンテナデバイスを示す部分縦断側面図。
【図２】（ａ）〜（ｃ）は図１図示のアンテナデバイスの製造方法の最終段階を工程順に示す部分縦断側面図。
【符号の説明】
１２…ホイップアンテナ
１４…ヘリカルアンテナ
１６…樹脂被覆層
２２…下側端子
２４…ストッパ
２６…携帯無線機本体
２８…ホルダ型端子
３２…絶縁性コアロッド
３４…シャンク部
３５…ヘッド部
４２…上側端子
４４…ステム部
４６…コネクタ部
４８…フランジ部
５２…雄ネジ
５６…ボビン
５８…凹部
６２…キャップ
６４…雌ネジ
【図１】
0004153638.tif 000002
【図２】
0004153638.tif 000003